(57)【要約】【課題】本発明は、貫通孔の一部をマスク体で覆って逆流の発生を防止し、レンズ側への空気流を増大させてクリーニング効果を向上させることを目的とする。【解決手段】本発明によるレンズクリーナー用ディスクは、クリーナー用ディスク本体(1)の貫通孔(2)の一部をマスク体(20)で覆うことにより、逆流(4)の発生を抑え、空気流をレンズ(11)側へ整流させてクリーニング効果を向上させる構成である。【選択図】図３
2006004490.tif 000002
【特許請求の範囲】
【請求項１】
コンパクト光ディスクと同一形状のクリーナー用ディスクと、前記クリーナー用ディスク(1)に形成された貫通孔(2)と、前記貫通孔(2)に形成されたテーパ面(3)と、前記クリーナー用ディスク(1)の表面(A)に設けられ前記貫通孔(2)の一部を覆うように位置するマスク体(20)とを備え、
前記クリーナー用ディスク(1)を回転させた場合、前記貫通孔(2)を経て空気流が裏面(B)側へ案内されるように構成したことを特徴とするレンズクリーナー用ディスク。
【請求項２】
前記マスク体(20)は、シール状又は板状をなすことを特徴とする請求項１記載のレンズクリーナー用ディスク。
【請求項３】
前記マスク体(20)は、前記貫通孔(2)における前記クリーナー用ディスク(1)の回転方向(C)の後側に位置していることを特徴とする請求項１又は２記載のレンズクリーナー用ディスク。
【請求項４】
前記マスク体(20)の厚さは１ミリ以下であることを特徴とする請求項１ないし３の何れかに記載のレンズクリーナー用ディスク。
【請求項５】
前記マスク体(20)の覆い面(D)は、前記貫通孔(2)の裏面開口縁(21)から前記表面(A)の表面延長線(Aa)との交点位置(22)までとすることを特徴とする請求項１ないし４の何れかに記載のレンズクリーナー用ディスク。
【請求項６】
前記マスク体(20)は、長方形よりなることを特徴とする請求項１ないし５の何れかに記載のレンズクリーナー用ディスク。
【発明の詳細な説明】
【技術分野】
【０００１】
本発明は、レンズクリーナー用ディスクに関し、特に、貫通孔の表面の一部にマスク体を設けることにより、クリーナー用ディスクが回転した時に発生する逆流を防止し、レンズ側へのエア供給を増加させ、クリーニング効果を増大させるようにするための新規な改良に関する。
【背景技術】
【０００２】
従来、用いられていたこの種のレンズクリーナー用ディスクとしては、貫通孔のみが形成された第１従来例と、特許文献１に示されている第２従来例のように、クリーナー用ディスクの貫通孔の周縁に半円筒状の突起物を設け、この突起物に衝突したエアが反射して貫通孔内へ案内され、貫通孔を経てレンズ側へ供給されるエアの量を増大させてレンズのクリーニング効果を向上させるようにしていた。
【０００３】
【特許文献１】特開２０００−２１５４８８号公報
【発明の開示】
【発明が解決しようとする課題】
【０００４】
従来のレンズクリーナー用ディスクは、以上のように構成されていたため、次のような課題が存在していた。
すなわち、第１従来例の場合、図５から図７に示されているように、クリーナー用ディスク１が回転した場合に貫通孔２で発生するエアの流れは、表面Ａから裏面Ｂに流れるが、全てが流れるわけではなく、図７で示されるように、テーパ面３に当ったエアは上方へ行く逆流４となっていた。
そのため、エアの流れとしては、一部効率が低下することになっていた。
この効率を向上させるために、特許文献１の構成が開発されているが、この第２従来例においては、貫通孔の周縁に突起物を設けているため、ディスクプレイヤーの中へ装填する際に、この突起物が障害となって装填不能又はエジェクト不能となることがある。
【課題を解決するための手段】
【０００５】
本発明によるレンズクリーナー用ディスクは、コンパクト光ディスクと同一形状のクリーナー用ディスクと、前記クリーナー用ディスクに形成された貫通孔と、前記貫通孔に形成されたテーパ面と、前記クリーナー用ディスクの表面に設けられ前記貫通孔の一部を覆うように位置するマスク体とを備え、前記クリーナー用ディスクを回転させた場合、前記貫通孔を経て空気流が裏面側へ案内されるようにした構成であり、また、前記マスク体は、シール状又は板状をなす構成であり、また、前記マスク体は、前記貫通孔における前記クリーナー用ディスクの回転方向の後側に位置している構成であり、また、前記マスク体の厚さは１ミリ以下である構成であり、また、前記マスク体の覆い面は、前記貫通孔の裏面開口縁から前記表面の表面延長線との交点位置(22)までとする構成であり、また、前記マスク体は、長方形よりなる構成である。
【発明の効果】
【０００６】
本発明によるレンズクリーナー用ディスクは、以上のように構成されているため、次のような効果を得ることができる。
すなわち、クリーナー用ディスクの表面に設けたマスク体によって貫通孔の一部を覆うことにより、従来、テーパ面から発生していたエアの逆流をこのマスク体によって防止し、エアの流れをレンズ側へ導き、レンズのクリーニング効果をより向上させることができる。また、マスク体が薄く形成されていることにより、ディスク自体のプレイヤーへの挿入及び取り出しは問題がなく、自在な着脱が可能である。
【発明を実施するための最良の形態】
【０００７】
本発明は、クリーナー用ディスクに形成された貫通孔の一部を覆うように設けたマスク体により、エアの逆流を防止して効率よくレンズクリーニングを行うことを目的とする。
【実施例】
【０００８】
以下、図面と共に本発明によるレンズクリーナー用ディスクの好適な実施の形態について説明する。尚、従来例と同一又は同等部分には同一符号を付して説明する。
図１から図４において符号１で示されるものは、市販のコンパクト光ディスク（ＣＤ）及びＤＶＤと同一形状のクリーナー用ディスクであり、このクリーナー用ディスク１の軸対称位置（１８０°位置）には、基板１０上のレンズ１１に対応するように貫通孔２が１個又は複数個形成されている。
【０００９】
前記貫通孔２は前記クリーナー用ディスク１の表面Ａから裏面Ｂに貫通し、この貫通孔２の内壁は、前記表面Ａから裏面Ｂに向けて細孔となるようにテーパ面３が形成されている。
【００１０】
前記クリーナー用ディスク１の回転方向Ｃに沿う前記貫通孔２の後側の前記表面Ａには、シール又は板状等の薄い部材からなるマスク体２０が設けられており、このマスク体２０は貫通孔２の一部を覆うように構成され、平面的にみると長方形、多角形あるいは円形、楕円形等より構成されている。
【００１１】
前記マスク体２０が貫通孔２の一部を覆って占める覆い面Ｄの位置は、図４に示されるように、貫通孔２の裏面Ｂの裏面開口縁２１から前記表面Ａの表面延長線Ａａとの交点位置２２までであり、前記貫通孔２のテーパ面３をなくして垂直状とした形状にほぼ一致している。
【００１２】
前記マスク体２０の肉厚としては、１ミリ以下が好ましく、このクリーナー用ディスク１をＣＤプレイヤー、ＤＶＤプレイヤー等に装填する場合に、挿入／取出しの障害となることのないように構成されている。従って、前述の構成によるクリーナー用ディスク１をＣＤ、ＤＶＤ等のプレイヤーに装填した場合、図２に示されるように、従来、逆流４を起した空気流がマスク体２０によって抑えられ、レンズ１１側へ整流されるため、レンズ１１のクリーニング効果を従来よりも大幅に向上させることができる。
【産業上の利用可能性】
【００１３】
本発明は、ＣＤ、ＤＶＤ、ＭＤに限らず、ブルーレイ等の次世代光ディスク等への適用も可能である。
【図面の簡単な説明】
【００１４】
【図１】本発明によるクリーナー用ディスク１の要部を示す断面図である。
【図２】図１の動作状態を示す断面図である。
【図３】本発明によるクリーナー用ディスクを示す平面図である。
【図４】図１の要部の拡大断面図である。
【図５】従来構成を示す断面図である。
【図６】図５の動作状態を示す断面図である。
【図７】図６の逆流発生状態を示す断面図である。
【符号の説明】
【００１５】
１    クリーナー用ディスク
２    貫通孔
３    テーパ面
１１    レンズ
２０    マスク体
２１    裏面開口縁
２２    交点位置
Ａ    表面
Ｂ    裏面
Ｃ    回転方向
Ｄ    覆い面
Ａａ    表面延長線
【図１】
2006004490.tif 000003
【図２】
2006004490.tif 000004
【図３】
2006004490.tif 000005
【図４】
2006004490.tif 000006
【図５】
2006004490.tif 000007
【図６】
2006004490.tif 000008
【図７】
2006004490.tif 000009